(57)【要約】【課題】特段の画像処理を施すことなく、検鏡法に適したモノクロ変換係数を容易に設定し得る顕微鏡画像撮像装置を提供すること。【解決手段】顕微鏡観察画像をカラー画像として出力する撮像手段と、選択された検鏡法に適合するカラー画像／モノクロ画像変換係数を設定する係数設定手段と、前記設定されたカラー画像／モノクロ画像変換係数を適用して前記カラー画像をモノクロ画像に変換する画像変換手段とを具備する。【選択図】図１
2007206107.tif 000002
【特許請求の範囲】
【請求項１】
複数の検鏡法が適用可能な顕微鏡装置に装着される顕微鏡撮像装置であって、
顕微鏡観察画像をカラー画像として出力する撮像手段と、
選択された検鏡法に適合するカラー画像／モノクロ画像変換係数を設定する係数設定手段と、
前記設定されたカラー画像／モノクロ画像変換係数を適用して前記カラー画像をモノクロ画像に変換する画像変換手段と、
を具備することを特徴とする顕微鏡撮像装置。
【請求項２】
前記カラー画像／モノクロ画像変換係数は、自在に設定可能であることを特徴とする請求項１記載の顕微鏡撮像装置。
【請求項３】
前記カラー画像／モノクロ画像係数設定手段は、照明系及び／又は観察系光路に介装される光学フィルタによる選択波長に適合した変換係数が設定されることを特徴とする請求項１記載の顕微鏡撮像装置。
【請求項４】
前記複数の検鏡法は蛍光観察法を含むことを特徴とする請求項１記載の顕微鏡撮像装置。
【請求項５】
複数の検鏡法が適用可能な顕微鏡装置に装着される顕微鏡画像撮像装置を用いてモノクロ画像を取得する顕微鏡撮像方法であって、
顕微鏡観察画像をカラー画像として出力し、
選択された検鏡法に適合するカラー画像／モノクロ画像変換係数を設定し、
前記設定されたカラー画像／モノクロ画像変換係数を適用して前記カラー画像をモノクロ画像に変換する
ことを特徴とする顕微鏡撮像方法。
【請求項６】
前記カラー画像／モノクロ画像変換係数は、自在に設定可能であることを特徴とする請求項５記載の顕微鏡撮像方法。
【請求項７】
前記カラー画像／モノクロ画像係数は、照明系及び／又は観察系光路に介装される光学フィルタによる選択波長に適合した変換係数が設定されることを特徴とする請求項５記載の顕微鏡撮像方法。
【請求項８】
前記複数の検鏡法は蛍光観察法を含むことを特徴とする請求項５記載の顕微鏡撮像方法。
【請求項９】
複数の検鏡法が適用可能な顕微鏡装置に装着される顕微鏡撮像装置をコンピュータ装置により制御するための、コンピュータ装置可読の情報記憶媒体であって、
顕微鏡観察画像をカラー画像として出力させ、
検鏡法に適合するカラー画像／モノクロ画像変換係数を設定させ、
前記設定されたカラー画像／モノクロ画像変換係数を適用して前記カラー画像をモノクロ画像に変換させる
顕微鏡撮像動作を実行するためのコンピュータ装置用処理プログラムを格納した
ことを特徴とするコンピュータ装置可読の情報記憶媒体。
【請求項１０】
前記複数の検鏡法は蛍光観察法を含むことを特徴とする請求項９記載の情報記憶媒体。
【発明の詳細な説明】
【技術分野】
【０００１】
本発明は、顕微鏡観察されたカラー画像をモノクロ画像として出力する顕微鏡撮像装置に関し、特に出力されるモノクロ画像が広い階調特性を有するようにした顕微鏡撮像装置に関する。
【背景技術】
【０００２】
顕微鏡観察を行い、その観察画像を電子撮像してそれを記録することは広く行われている。また、顕微鏡観察法（検鏡法）には種々のものがあり、観察目的に応じて選択される。こうした検鏡法のうち、蛍光観察法では蛍光試薬を用いて観察標本を染色し、励起光を照射したときの標本の蛍光発色状態を観察するものである。蛍光観察画像は基本的には単色発光現象であるから、カラー画像として記録せずともモノクロ画像として記録すれば十分であり、画像ファイルの容量的にも有利である。
【０００３】
蛍光観察において採用される蛍光試薬としては、ＦＩＴＣ、Ｒｏｄａｍｉｎｅ、ＤＡＰＩなどが知られ、ＦＩＴＣでは緑色成分が、Ｒｏｄａｍｉｎｅでは赤色成分と緑色成分とが、ＤＡＰＩでは青色成分が、それぞれ支配的な蛍光を発する。
【０００４】
Ｒ（青）、Ｇ（緑）、Ｂ（青）の各色成分信号により定義されるＲＧＢカラー画像信号をモノクロ画像（グレースケール）信号に変換するに際して、一般に、次式によりモノクロ画像信号（輝度信号）Ｙに変換される。
【０００５】
Ｙ＝ｋR＊Ｒ＋ｋG＊Ｇ＋ｋB＊Ｂ      ・・・  （式１）
式１の変換係数ｋR、ｋG、ｋBとしては一般的に、それぞれ0.3, 0.59, 0.11 が採用されている。この変換係数セットはＲＧＢ成分に偏りの無い一般的な画像には適するが、上述した蛍光観察画像の如く単色発光である場合には、特定の色成分のみが輝度信号に寄与する。そのため、上記変換係数セットを適用した場合、極端な場合としてＢ成分が支配的な場合には輝度信号の最大階調の１０％程度しか利用できないことになる。
【０００６】
そこで、カラー画像の輝度分布に応じて変換係数ｋR、ｋG、ｋBを調整する技術の一例が特許文献１に示されている。この方法はカラー画像をモノクロ画像に変換する前処理においてカラー画像の輝度ヒストグラムを作成し、このヒストグラムに基いて変換係数を決定するものである。
【０００７】
また、内視鏡観察画像の記録に際して、ＲＧＢの特定色成分を選択し、得られた単色画像の視認性を改善するために、モノクロ画像に変換して複数のモニタ装置に表示する技術が特許文献２に示されている。
【特許文献１】特開2000-105820
【特許文献２】特公平7-96005  しかし、上述の特許文献に記載された発明は、ヒストグラムを生成、解析したり、複数のモニタ装置を用いるものであって、式１の演算処理のほかに特段の画像処理を要するものであった。
【発明の開示】
【発明が解決しようとする課題】
【０００８】
本発明は、特段の画像処理を施すことなく、検鏡法に適したモノクロ変換係数を容易に設定し得る顕微鏡画像撮像装置を提供することを目的とする。
【課題を解決するための手段】
【０００９】
前記課題を解決するために本発明を適用した顕微鏡撮像装置は、複数の検鏡法が適用可能な顕微鏡装置に装着される顕微鏡撮像装置であって、顕微鏡観察画像をカラー画像として出力する撮像手段と、選択された検鏡法に適合するカラー画像／モノクロ画像変換係数を設定する係数設定手段と、前記設定されたカラー画像／モノクロ画像変換係数を適用して前記カラー画像をモノクロ画像に変換する画像変換手段とを具備する。
【００１０】
一つの局面において、前記カラー画像／モノクロ画像変換係数は、自在に設定可能であることが望ましい。
【００１１】
別の局面において、前記カラー画像／モノクロ画像係数設定手段は、照明系及び／又は観察系光路に介装される光学フィルタによる選択波長に適合した変換係数が設定されることが望ましい。
【００１２】
更に他の局面において、前記複数の検鏡法は複数の検鏡法は蛍光観察法を含むことが望ましい。
【００１３】
また、前記課題を解決するために本発明を適用した顕微鏡撮像方法は、複数の検鏡法が適用可能な顕微鏡装置に装着される顕微鏡撮像装置を用いてモノクロ画像を取得する顕微鏡撮像方法であって、顕微鏡観察画像をカラー画像として出力し、選択された検鏡法に適合するカラー画像／モノクロ画像変換係数を設定し、前記設定されたカラー画像／モノクロ画像変換係数を適用して前記カラー画像をモノクロ画像に変換する。
【００１４】
一つの局面において、前記カラー画像／モノクロ画像変換係数は、自在に設定可能であることが望ましい。
【００１５】
別の局面において、前記カラー画像／モノクロ画像係数は、照明系及び／又は観察系光路に介装される光学フィルタによる選択波長に適合した変換係数が設定されることが望ましい。
【００１６】
更に他の局面において、前記複数の検鏡法は複数の検鏡法は蛍光観察法を含むことが望ましい。
【００１７】
さらに、前記課題を解決するために本発明を適用した情報記憶媒体は、顕微鏡観察画像をカラー画像として出力させ、検鏡法に適合するカラー画像／モノクロ画像変換係数を設定させ、前記設定されたカラー画像／モノクロ画像変換係数を適用して前記カラー画像をモノクロ画像に変換させる顕微鏡撮像動作を実行するためのコンピュータ装置用処理プログラムを格納している。
【００１８】
一つの局面において、前記複数の検鏡法は蛍光観察法を含むことが望ましい。
【発明の効果】
【００１９】
請求項１に記載の発明によれば、複数の検鏡法が適用可能な顕微鏡装置に装着される顕微鏡撮像装置において、選択された検鏡法に適合するカラー画像／モノクロ画像変換係数を設定手段と、設定されたカラー画像／モノクロ画像変換係数を適用して前記カラー画像をモノクロ画像に変換する画像変換手段とを具備しているから、特段の画像処理を施すことなく、検鏡法に適したモノクロ変換係数を容易に設定することができる。その結果、検鏡法に適合した階調特性に優れたモノクロ画像を得ることができる。
【００２０】
請求項２に記載の発明によれば、カラー画像／モノクロ画像変換係数を自在に設定可能としているから、階調特性に優れたモノクロ画像を容易に得ることができる。
【００２１】
請求項３に記載の発明によれば、照明系及び／又は観察系光路に介装される光学フィルタによる選択波長に適合した変換係数が設定されるから、検鏡法に適したモノクロ変換係数を容易に設定することができる。その結果、検鏡法に適合した階調特性に優れたモノクロ画像を得ることができる。
【００２２】
請求項５に記載の発明によれば、選択された検鏡法に適合するカラー画像／モノクロ画像変換係数を設定し、前記設定されたカラー画像／モノクロ画像変換係数を適用して前記カラー画像をモノクロ画像に変換しているから、特段の画像処理を施すことなく、検鏡法に適したモノクロ変換係数を容易に設定することができる。その結果、検鏡法に適合した階調特性に優れたモノクロ画像を得ることができる。
【００２３】
請求項６に記載の発明によれば、カラー画像／モノクロ画像変換係数は、自在に設定可能であるから、階調特性に優れたモノクロ画像を容易に得ることができる。
【００２４】
請求項７に記載の発明によれば、照明系及び／又は観察系光路に介装される光学フィルタによる選択波長に適合した変換係数が設定されるから、検鏡法に適したモノクロ変換係数を容易に設定することができる。その結果、検鏡法に適合した階調特性に優れたモノクロ画像を得ることができる。
【００２５】
請求項８に記載の発明によれば、検鏡法に適したモノクロ変換係数を容易に設定することができる。その結果、検鏡法に適合した階調特性に優れたモノクロ画像を得ることができる。
【発明を実施するための最良の形態】
【００２６】
（第１の実施形態）
第１の実施形態の構成を説明する。図１は本発明の第１の実施形態を示すブロック図である。顕微鏡１は検鏡法の一種である蛍光観察を実施するに適する構成となっている。ランプ６から発せられる励起光ｂは蛍光キューブ４を経由してステージ２上の標本３に到達する。蛍光観察標本３は蛍光試薬により染色されており、蛍光ａを発する。蛍光キューブ４は励起光ｂの特定波長を選択し、蛍光ａから励起光成分を除去する機能を有する光学フィルタを備えている。こうした複数の蛍光キューブ４を装着可能な不図示のキューブターレットは手動または電動アクチュエータによって一つが選択可能であり、検鏡法に応じて操作者が適宜な特性の光学フィルタを有する蛍光キューブを選択できる。
【００２７】
標本３より発する蛍光ａは撮像素子７に導かれて画像信号に変換される。前置処理部８は撮像素子７からの画像信号のフロントエンド部であり、ここでノイズ成分除去、信号レベル調整が行われ、撮像素子のカラーフィルタ形式に依存した画像信号を出力する。Ａ／Ｄ変換器９はこの画像信号をカラーデジタル画像信号に変換する。タイミングジェネレータ（ＴＧ）１０は撮像素子７、前置処理部８、Ａ／Ｄ変換器９を所定のタイミングで駆動するための駆動パルス発生器である。
【００２８】
メモリコントロール部１３はＡ／Ｄ変換器９から出力されるカラーデジタル画像信号をメモリ１２に書込むと共に、別のタイミングでメモリ１２から読み出したカラーデジタル画像信号をＲＧＢ同期化処理部１４に出力する。
【００２９】
ＲＧＢ同期化処理部１４は、撮像素子７がベイヤ配列のカラー撮像素子であれば、カラーエンコードスキーム（ベイヤ配列）に従って撮像素子７から出力されるベイヤエンコード画像信号を、ＲＧＢ各色成分に分離したＲＧＢ画像信号２０として並列化を行う。
【００３０】
モノクロ変換部１５はＲＧＢ同時化部１４から出力されるＲＧＢ画像信号２０をシステム制御部１１によって指定されるモノクロ変換係数２１に従ってモノクロ画像信号に変換する。データ転送部１６はモノクロ変換部１５から出力されるモノクロ画像信号を計算機１７に転送する。システム制御部１１はＴＧ１０、メモリコントロール部１３、ＲＧＢ同期化処理部１４、モノクロ変換部１５、およびデータ転送部１６の動作をバスラインを介して制御する。
【００３１】
計算機（コンピュータ装置）１７は処理プログラム１８を読み出し指定された命令を順次実行する。この処理プログラムはコンピュータ装置可読の記憶媒体に格納されている。この記憶媒体は固定式、着脱式いずれでも良い。
計算機１７は処理プログラム１８に従ってデータ転送部１６から出力されるモノクロ画像信号を読み出し、それを画像モニタ１９に表示させる。また、処理プログラム１８はモノクロ変換係数２１を操作者が自在に設定するための画面ユーザインタフェース（ＧＵＩ）を具備しており、操作者により設定されたモノクロ変換係数２１をシステム制御部１１にも通知する。
【００３２】
続いて、斯かる構成を具備する第１の実施形態における作用を説明する。
【００３３】
図２は第１の実施形態における操作者の操作手順の概略を示すフローチャートである。まず、操作者はＧＵＩによりモノクロ変換係数２１を設定する（Ｓ００１）。このときのＧＵＩ画面の一例を図３に示す。このＧＵＩ画面は計算機１７が処理プログラム１８を実行するとき画像モニタ１９に表示される。
【００３４】
操作者はこのＧＵＩ画面においてモノクロ変換係数設定機能を有効化するチェックボックス１００にチェックを入れる。このとき、赤色成分Ｒに対する変換係数ｋRをオフ（０．０）またはオン（１．０）に設定するチェックボックス１０１、緑色成分Ｇに対する変換係数ｋGをオフまたはオンに設定するチェックボックス１０２、青色成分Ｇに対する変換係数ｋBをオフまたはオンに設定するチェックボックス１０３を任意の組合せで指定することができる。同図中ではチェックボックス１００、１０１、１０２がオンされ、チェックボックス１０３はオフの状態を例示している。この例は、モノクロ変換係数が０か１かのデジタル的な選択を行うものである。
【００３５】
このチェックボックス設定に関して、例えば、蛍光試薬Ｒｏｄａｍｉｎｅを用いた蛍光画像の観察を行う場合、蛍光発色は上述の通り、Ｒ成分とＧ成分とが支配的であるから、チェックボックス１００、１０１、１０２をオンに、チェックボックス１０３をオフとすれば（図３の状態）、好ましい階調特性のモノクロ画像が得られるであろう。
【００３６】
計算機１７は前記ＧＵＩにて設定されたモノクロ変換係数２１を、データ転送部１６を介してシステム制御部１１に設定する。システム制御部１１は設定されたモノクロ変換係数をモノクロ変換部１５に設定する。
【００３７】
再び図２に戻り、操作者は処理プログラム１８を適用した計算機１７を操作してシステム制御部１１に静止画撮像を指示する（Ｓ００２）。システム制御部１１はＴＧ１０、メモリコントロール部１３、ＲＧＢ同時化処理部１４、モノクロ変換部１５、データ転送部１６を制御して、撮像された蛍光ａのＲＧＢ画像をモノクロ画像に変換して計算機１７に転送する。このとき、モノクロ変換部１５では前記ステップＳ００１にて設定されたモノクロ変換係数２１を適用してＲＧＢ画像をモノクロ画像に変換している。
【００３８】
以上述べた如く、第１の実施形態によれば、ＧＵＩによりモノクロ変換係数を容易に設定することができるから、蛍光観察の如き単色画像に対して最適化された階調特性に優れたモノクロ画像を容易に得ることができる。
【００３９】
なお、第１の実施形態では図３のＧＵＩチェックボックス選択方式による構成を示したが、この構成に限られるものではない。変形例として、例えば、チェックボックスに代えて同じくＧＵＩによるスライドバーを用いてモノクロ変換係数を準アナログ的に設定する方式を採用しても良く、スライドバーを用いた例を図４に示す。
【００４０】
この変形例によれば、モノクロ変換係数を格段にきめ細かく設定することができるから、例えば、蛍光試薬メーカーによる推奨値をそのまま適用することができる。
（第２の実施形態）
次に、第２の実施形態を説明する。本実施形態は第１の実施形態の構成に加えて蛍光キューブ操作をＧＵＩ設定する構成が追加されている。図５は第２の実施形態の構成を示すブロック図である。プログラム１８は操作者が設定した蛍光観察法に連動して、モノクロ変換係数２１と蛍光キューブ操作コマンド２２とをＧＵＩ設定する。その他の構成は第１の実施形態と同様であるから、再度の説明を省略する。
【００４１】
第２の実施形態における作用を説明する。
【００４２】
図６は第２の実施形態における蛍光観察の撮像手順を示すフローチャートである。操作者はＧＵＩにより蛍光観察法を指定する（Ｓ０１１）。このときモニタ１９に表示されるＧＵＩ画面表示の一例を図７に示す。操作者は各種蛍光観察法が指定可能なコンボボックス１２１を用いて蛍光観察法を指定し、モノクロ変換係数２１を「推奨値に設定する」チェックボックスにチェックを入れる。この設定に応じて、計算機１７はデータ転送部１６を介してシステム制御部１１にモノクロ変換係数２１を通知する。このモノクロ変換係数２１は各蛍光観察法に適合する変換係数であり、蛍光試薬として例えば、ＤＡＰＩを選択すると、ｋR、ｋG、ｋBとしてそれぞれ0.0, 0.3, 0.7が設定され、Ｒｏｄａｍｉｎｅを選択すると、同様に0.7, 0.3, 0.0がそれぞれ設定されるようになっている。
【００４３】
再び図６に戻り、ステップＳ０１１で設定されたモノクロ変換係数２１を適用して変換されたモノクロ画像を得るために静止画撮像を指示する（Ｓ０１２）。
【００４４】
以上述べた如く、第２の実施形態によれば、ＧＵＩにより各種蛍光観察法に最適なモノクロ変換係数が自動的に設定されるから、階調特性に優れたモノクロ画像を容易に得ることができる。
【００４５】
なお、第２の実施形態では図７のＧＵＩにより設定された蛍光観察法（具体的には、蛍光試薬）に適するモノクロ変換係数が自動的に設定される構成を示したが、この構成に限られるものではない。変形例として、例えば、操作者が選択した蛍光キューブに応じたモノクロ変換係数を自動的に設定するようにしても良い。この場合、各種蛍光キューブを装着したターレットは電動アクチュエータにより駆動可能となっており、モニタ１９に表示されるＧＵＩの一例を図８に示す。
【００４６】
この変形例について図６の手順に沿って説明すると、操作者がＧＵＩにより蛍光キューブのフィルタを選択する（Ｓ０１１’）。蛍光キューブ選択ＧＵＩ１３０において、操作者はＷＵ、ＷＢ、ＷＧ等のフィルタを選択することができ、加えてチェックボックス１３１によって、蛍光キューブ選択ＧＵＩ１３０で選択したフィルタに最適なモノクロ変換係数を自動的に設定することができる。ここで、フィルタＷＵは励起光としてＢ成分を選択し、蛍光のうちＲＧＢ全成分を透過させ撮像素子７に導くものであり、蛍光キューブ選択ＧＵＩ１３０においてフィルタＷＵを選択した場合、ＲＧＢ全成分からモノクロ画像を生成するためのモノクロ変換係数２１が設定されるようになっている。
【００４７】
続いて、操作者はプログラム１８を適用した計算機１７を操作してシステム制御部１１に静止画撮像を指示する（Ｓ００２’）。システム制御部１１はＴＧ１０、メモリコントロール部１３、ＲＧＢ同時化処理部１４、モノクロ変換部１５、データ転送部１６を制御して、撮像された蛍光ａのＲＧＢ画像をモノクロ画像に変換して計算機１７に転送する。このとき、モノクロ変換部１５では前記ステップＳ００１にて設定されたモノクロ変換係数２１を適用してＲＧＢ画像をモノクロ画像に変換している。
【００４８】
この変形例によれば、選択された蛍光キューブに適合するモノクロ変換係数が自動的に設定されるから、階調豊富なモノクロ画像が容易に得られる。
【００４９】
さらに、上述の変形例では、蛍光キューブにおいて選択されたフィルタに適するモノクロ変換係数が自動的に設定されたが、これに代える更なる変更例として、図９の如くフィルタホイールを選択するＧＵＩ１４１を設けて、選択されたフィルタに適合するモノクロ変換係数を設定するようにしても良い。
（第３の実施形態）
次に第３の実施形態を説明する。図１０は第３の実施形態の構成を示すブロック図である。本実施形態ではシステム制御部１１の内部に、複数のモノクロ変換係数を生成するモノクロ変換係数候補生成部２３と、最良変換係数保存部２４とを設け、更にモノクロ変換部１５の出力のコントラスト値を評価するコントラスト評価部を設けている。
【００５０】
第３の実施形態における作用を説明する。
【００５１】
図１１は第３の実施形態の蛍光観察の撮像手順を示すフローチャートである。操作者が撮影開始を指示すると、まずＲＧＢ画像撮影ステップが起動して、撮影されたＲＧＢ画像はこれまで述べた実施形態と同様にメモリ１２に格納される（Ｓ０３１）。
【００５２】
続いて、システム制御部１１内部のモノクロ変換係数候補生成部２３は、Ｎ個のモノクロ変換係数候補を生成する。このとき生成される変換係数候補の一例を以下に示す。
【００５３】
ｋR＝0.1*m           (m=0, 1, 2, ... 10)  ・・・（式２）
ｋG＝0.1*n           (n=0, 1, 2, ... 10)  ・・・（式３）
ｋB＝1-ｋR-ｋG       (ｋB>＝0.0)          ・・・（式４）
式２から式４によってｋR、ｋG、ｋBをそれぞれ定義すると、mとnとの組合せに応じてＮ＝５５組の変換係数候補を生成する（Ｓ０３２）。なお、この変換係数候補は、テーブルとして予めプログラム１８の一部に含めるようにしても良い。
【００５４】
次に、システム制御部１１は最良のコントラスト評価値を与えるモノクロ変換係数を抽出するために、図１２に示すフローチャートに沿って作動する。まず、システム制御部１１は変換係数候補の数Ｎを５５とし、モノクロ変換係数のカウンタＩを０とし、最良変換係数保存部に保存される係数値ＢＥＳＴを０とし、最良変換係数保存部の評価値ＢＥＳＴ＿ＶＡＬＵＥを０とする初期化を行う（Ｓ０４１）。
【００５５】
システム制御部１１はＩ番目のモノクロ変換係数を読み出してモノクロ変換部１５に転送し、メモリ９に格納されているＲＧＢ画像信号を読み出して同じくモノクロ変換部１５に転送する（Ｓ０４２）。
【００５６】
モノクロ変換部１５はＳ０４２で設定されたモノクロ変換係数を適用してモノクロ画像を生成し、それをコントラスト評価部２５に転送する（Ｓ０４３）。
【００５７】
コントラスト評価部２５はＳ０４３で取得したモノクロ画像のコントラスト値ＥＶＡＬを演算する（Ｓ０４４）。このコントラスト値ＥＶＡＬは値が大きいほどコントラストが高いものとして定義される。
【００５８】
システム制御部１１はコントラスト評価部２５からコントラスト評価値ＥＶＡＬを取得して最良評価値との比較を行う。ここでの比較は次の手順にて行われる。
ＢＥＳＴ＿ＶＡＬＵＥ＜ＥＶＡＬ
であるとき、
ＢＥＳＴ＝Ｉ、
ＢＥＳＴＶＡＬＵＥ＝ＥＶＡＬ
とする（Ｓ０４５）。
【００５９】
システム制御部１１は次の変換係数候補を評価するためにカウンタＩをインクリメントし（Ｓ０４６）、Ｉ＝Ｎであるとき後述するＳ０４８を実行し、それ以外のときＳ０４２に戻る（Ｓ０４７）。このループ処理によって５５個のモノクロ変換係数候補がすべて評価され、最良変換係数がＢＥＳＴに設定される。
【００６０】
システム制御部１１はメモリ９からＲＧＢ画像を読み出すと共に、モノクロ変換部１５に最良変換係数を設定する（Ｓ０４８）。モノクロ変換部１５はＳ０４８で設定された最良変換係数を適用してＲＧＢ画像をモノクロ画像に変換する（Ｓ０４９）。
【００６１】
システム制御部１１はＳ０４９で得られたモノクロ画像をデータ転送部１６を介して計算機１７に出力する（Ｓ０５０）。
【００６２】
上述の如く、本実施形態によれば、複数のモノクロ変換係数を準備しておき、撮影されたＲＧＢ画像に対して全部のモノクロ変換係数を順次適用して、コントラスト評価値の最も高いモノクロ画像を生成する最良変換係数を決定しているから、階調豊富なモノクロ画像を得ることができる。
【図面の簡単な説明】
【００６３】
【図１】第１の実施形態による顕微鏡撮像装置のブロック図である。
【図２】第１の実施形態における撮影動作を示すフローチャートである。
【図３】第１の実施形態における変換係数選択ＧＵＩの一例である。
【図４】変形例における変換係数選択ＧＵＩの一例である。
【図５】第２の実施形態による顕微鏡撮像装置のブロック図である。
【図６】第２の実施形態における撮影動作を示すフローチャートである。
【図７】第２の実施形態における変換係数選択ＧＵＩの一例である。
【図８】変形例における変換係数選択ＧＵＩの一例である。
【図９】別の変形例における変換係数選択ＧＵＩの一例である。
【図１０】第３の実施形態による顕微鏡撮像装置のブロック図である。
【図１１】第３の実施形態における撮影動作を示すフローチャートである。
【図１２】最良変換係数抽出動作を示すフローチャートである。
【符号の説明】
【００６４】
１    顕微鏡本体
４    蛍光キューブ
７    撮像素子
１１  システム制御部
１２  メモリ
１３  メモリコントロール部
１４  ＲＧＢ同時化処理部
１５  モノクロ変換部
１６  データ転送部
１７  計算機
１８  処理プログラム
１９  モニタ
２０  ＲＧＢ画像信号
２１  変換係数
２２  モノクロ画像信号
２３  モノクロ変換係数候補生成部
２４  最良係数保存部
２５  コントラスト評価部
【図１】
2007206107.tif 000003
【図２】
2007206107.tif 000004
【図３】
2007206107.tif 000005
【図４】
2007206107.tif 000006
【図５】
2007206107.tif 000007
【図６】
2007206107.tif 000008
【図７】
2007206107.tif 000009
【図８】
2007206107.tif 000010
【図９】
2007206107.tif 000011
【図１０】
2007206107.tif 000012
【図１１】
2007206107.tif 000013
【図１２】
2007206107.tif 000014